(57)【要約】【課題】洗濯機の運転終了後、洗濯槽内から洗濯物を取り出すためのユーザーの動作が終了するまでは洗濯機の電源をオンの状態にすることができる洗濯機を提供する。【解決手段】洗濯機１００は、洗濯物を洗濯する。洗濯機１００は、ドラム１１５と、扉１１２と、開閉検知部１２８と、電源制御部１３２ｂとを備える。ドラム１１５は、洗濯物を収容可能である。扉１１２は、ドラム１１５を開閉する。開閉検知部１２８は、扉１１２の開閉を検知する。電源制御部１３２ｂは、開閉検知部１２８の検知結果に基づいて、洗濯機１００の電源１３０をオフにする。【選択図】図３
2019154612.tif 000002
【特許請求の範囲】
【請求項１】
洗濯物を洗濯する洗濯機であって、
前記洗濯物を収容可能な洗濯槽と、
前記洗濯槽を開閉する扉と、
前記扉の開閉を検知する開閉検知部と、
前記開閉検知部の検知結果に基づいて、前記洗濯機の電源をオフにする電源制御部と
を備える、洗濯機。
【請求項２】
前記洗濯機の運転終了後、前記扉が開状態になってから閉状態になると、前記電源制御部は前記洗濯機の電源をオフにする、請求項１に記載の洗濯機。
【請求項３】
前記洗濯槽内に光を照射する照射部と、
前記照射部を制御する光制御部と
をさらに備え、
前記洗濯機の電源がオンの状態で、前記扉が開状態になると、前記照射部が前記洗濯槽内に光を照射するように、前記光制御部が前記照射部を制御する、請求項１又は請求項２に記載の洗濯機。
【請求項４】
前記洗濯機の運転状況を検出する運転状況検出部と、
前記運転状況検出部の検出結果に基づいて、前記洗濯機の状態を示す洗濯機情報を生成する生成部と、
前記洗濯機情報を出力する出力部と、
前記出力部を制御する出力制御部と
をさらに備え、
前記洗濯機の運転が終了すると、前記出力部が前記洗濯機情報を出力するように、前記出力制御部が前記出力部を制御する、請求項１から請求項３のいずれか１項に記載の洗濯機。
【請求項５】
前記扉が開状態になったときから経過した時間である前記扉の開時間をカウントする第１カウント部をさらに備え、
前記洗濯機の運転終了後、前記扉の開時間が第１所定時間を超える前に前記扉が閉状態になると、前記電源制御部は前記洗濯機の電源をオフにし、又は、前記洗濯機の運転終了後、前記扉が開状態になってから閉状態になる前に前記扉の開時間が前記第１所定時間を超えると、前記電源制御部は前記洗濯機の電源をオフにする、請求項１から請求項４のいずれか１項に記載の洗濯機。
【請求項６】
前記洗濯機の運転が終了したときから経過した時間である経過時間をカウントする第２カウント部をさらに備え、
前記洗濯機の運転終了後、前記経過時間が第２所定時間を超える前に前記扉が開状態になってから閉状態になると、前記電源制御部は前記洗濯機の電源をオフにし、又は、前記洗濯機の運転終了後、前記扉が開状態になってから閉状態になる前に前記経過時間が前記第２所定時間を超えると、前記電源制御部は前記洗濯機の電源をオフにする、請求項１から請求項５のいずれか１項に記載の洗濯機。
【請求項７】
前記洗濯機が洗濯運転を行う場合、前記洗濯運転が終了すると、前記電源制御部は前記開閉検知部の検知結果に基づいて前記洗濯機の電源をオフにし、
前記洗濯機が前記洗濯運転以外の運転を行う場合、前記洗濯運転以外の運転が終了すると前記電源制御部は前記開閉検知部の検知結果に基づくことなく、前記洗濯機の電源をオフにする、請求項１から請求項６のいずれか１項に記載の洗濯機。
【発明の詳細な説明】
【技術分野】
【０００１】
本発明は、洗濯機に関する。
【背景技術】
【０００２】
特許文献１に記載の装置においては、洗濯機の洗い運転、すすぎ運転、及び脱水運転のような洗濯機の運転が終了すると、制御回路は電源リレー制御手段を介して電源リレーの接点を開成し交流電源を遮断する。その結果、洗濯機の運転が終了すると、洗濯機の電源がオフになる。
【先行技術文献】
【特許文献】
【０００３】
【特許文献１】特開２００１−３０９６６８号公報
【発明の概要】
【発明が解決しようとする課題】
【０００４】
一般に、洗濯機の運転が終了すると、洗濯機の扉のロックが解除される。そして、洗濯機の扉のロックが解除されると、洗濯機の電源がオフになっていた。
【０００５】
しかし、洗濯機の運転終了後、さらに洗濯物に対し洗濯機に処理をさせる場合、ユーザーは洗濯機の電源をオンにしなければならず、煩雑であった。また、ユーザーによっては、洗濯機の運転が終了した時点ではなく、洗濯機の運転終了後、洗濯槽から洗濯物を取り出した時点を洗濯作業が終了した時点と認識している場合がある。従って、洗濯機の運転終了後、ユーザーが洗濯槽から洗濯物を取り出すまでは洗濯機の電源をオンの状態にしておきたいとする要望があった。
【０００６】
本発明は、洗濯機の運転終了後、洗濯槽内から洗濯物を取り出すためのユーザーの動作が終了するまでは洗濯機の電源をオンの状態にすることができる洗濯機を提供することを目的としている。
【課題を解決するための手段】
【０００７】
本発明の第１の局面によれば、洗濯機は、洗濯物を洗濯する。洗濯機は、洗濯槽と、扉と、開閉検知部と、電源制御部とを備える。洗濯槽は、前記洗濯物を収容可能である。扉は、前記洗濯槽を開閉する。開閉検知部は、前記扉の開閉を検知する。電源制御部は、前記開閉検知部の検知結果に基づいて、前記洗濯機の電源をオフにする。
【発明の効果】
【０００８】
本発明によれば、洗濯機の運転終了後、洗濯槽内から洗濯物を取り出すためのユーザーの動作が終了するまでは洗濯機の電源をオンの状態にすることができる。
【図面の簡単な説明】
【０００９】
【図１】本発明の実施形態に係る洗濯機の斜視図である。
【図２】洗濯機の断面図である。
【図３】洗濯機のブロック図である。
【図４】制御装置の第１の動作を示すブロック図である。
【図５】制御装置の第２の動作を示すブロック図である。
【図６】制御装置の第３の動作を示すブロック図である。
【図７】制御装置の第４の動作を示すブロック図である。
【図８】制御装置の第５の動作を示すブロック図である。
【図９】制御装置の第６の動作を示すブロック図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１を参照して、本発明の第１実施形態に係る洗濯機１００について説明する。図１は、洗濯機１００の斜視図である。
【００１２】
図１に示すように、洗濯機１００は、操作表示部１１０と、接続口１１１と、扉１１２と、扉開ボタン１１３と、筐体１１４とを備える。
【００１３】
操作表示部１１０は、筐体１１４の前面の上部に設けられる。接続口１１１は、筐体１１４の前面の上部に設けられる。接続口１１１は、水栓に接続される。水栓から放出された水は、接続口１１１を介して洗濯機１００に供給される。扉１１２は、筐体１１４の前面に設けられる。扉１１２は、筐体１１４の内部と筐体１１４の外部とを仕切る。扉開ボタン１１３は、扉１１２の周囲に配置される。扉開ボタン１１３が操作されることで、扉１１２が開く。
【００１４】
次に、図２を参照して、洗濯機１００についてさらに説明する。図２は、洗濯機１００の断面図である。
【００１５】
図２に示すように、洗濯機１００は、ドラム１１５と、水槽１１６と、支持脚１１７とをさらに備える。
【００１６】
ドラム１１５及び水槽１１６の各々は、筐体１１４の内部に配置される。ドラム１１５及び水槽１１６の各々は、筒体の一端部を閉塞した形状を有する。ドラム１１５は、洗濯物を収容可能である。ドラム１１５の一端部には、ドラム底部が形成される。ドラム１１５の他端部には、ドラム開口部１５ａが形成される。ドラム開口部１５ａは、扉１１２に対向する。ドラム１１５は、水槽１１６の内側に配置される。水槽１１６の一端部には、水槽底部が形成される。水槽１１６の他端部には、水槽開口部１６ａが形成される。水槽開口部１６ａは、扉１１２に対向する。
【００１７】
ドラム１１５は、本発明の洗濯槽の一例である。
【００１８】
扉１１２が開かれると、ドラム開口部１５ａが筐体１１４の外部と対向する。その結果、ユーザーは、ドラム開口部１５ａを介してドラム１１５内に洗濯物を投入することができる。
【００１９】
洗濯機１００は、ドラムモータ１１８と、出力軸１１９と、複数の孔部１２０と、複数のバッフル１２１とをさらに含む。
【００２０】
ドラムモータ１１８は、ドラム１１５を回転させる。ドラムモータ１１８は、出力軸１１９を介してドラム１１５に接続される。複数の孔部１２０は、ドラム１１５に形成される。複数の孔部１２０は、ドラム１１５を貫通する。複数のバッフル１２１の各々は、ドラム１１５の内周面に形成される。ドラム１１５の内側に突出する。複数のバッフル１２１は、ドラム１１５の周方向に沿って並んでいる。
【００２１】
洗濯機１００が洗い運転を行う手順について説明する。
【００２２】
まず、ドラム１１５内に洗濯物が投入される。そして、複数の孔部１２０を介してドラム１１５内に水が供給され、洗濯物が水に浸される。そして、ドラムモータ１１８の動力によりドラム１１５が回転する。ドラム１１５が回転すると、バッフル１２１により洗濯物が持ち上げられる。そして、洗濯物は、重力により落下してドラム１１５の内周面に叩きつけられる。そして、ドラム１１５が回転し続けると、洗濯物が持ち上げられる動作と、洗濯物がドラム１１５の内周面に叩きつけられる動作とが交互に繰り返される。その結果、洗濯物が洗濯される。
【００２３】
洗濯機１００は、ファン１２２と、ヒータ１２３と、ダクト１２４とをさらに備える。ファン１２２は、ヒータ１２３及びダクト１２４を介してドラム１１５に接続される。
【００２４】
洗濯機１００が乾燥運転を行う手順について説明する。
【００２５】
ファン１２２及びヒータ１２３により生成された温風が、ダクト１２４を介して水槽１１６の内部に供給される。水槽１１６の内部に供給された温風は、複数の孔部１２０を介してドラム１１５の内部に供給される。その結果、ドラム１１５の内部の洗濯物が乾燥される。
【００２６】
洗濯機１００は、例えば、洗い運転、すすぎ運転、脱水運転、及び乾燥運転を行うことで、洗濯物を洗濯する。洗い運転は、洗濯物を洗うことを示す。すすぎ運転は、洗濯物をすすぐことを示す。脱水運転は、洗濯物を脱水することを示す。乾燥運転は、洗濯物を乾燥させることを示す。なお、洗濯機１００は、乾燥機能を有していなくてもよい。
【００２７】
次に、図３を参照して、洗濯機１００についてさらに説明する。図３は、洗濯機１００のブロック図である。
【００２８】
図３に示すように、操作表示部１１０は、受付部５０と、表示部５２とを含む。受付部５０は、洗濯機１００に対する指示を受け付ける。受付部５０は、操作キー群を含む。表示部５２は、種々の情報を表示する。表示部５２は、例えば、ＬＣＤ（Ｌｉｑｕｉｄ  Ｃｒｙｓｔａｌ  Ｄｉｓｐｌａｙ）、又はＥＬＤ（Ｅｌｅｃｔｒｏ  Ｌｕｍｉｎｅｓｃｅｎｃｅ  Ｄｉｓｐｌａｙ）のようなディスプレーである。なお、表示部５２は、タッチパネルを含み、受付部５０として機能してもよい。
【００２９】
洗濯機１００は、扉ロック部１２５と、照射部１２６と、出力部１２７とをさらに備える。
【００３０】
扉ロック部１２５は、扉１１２が開くことを規制する。扉ロック部１２５は、例えば、扉１１２に係止する係止部と、係止部を動作させる駆動源とを含む。駆動源は、例えば、ソレノイド、又はモータを含む。駆動源は、係止部を、係止位置と解除位置とに移動させることができる。係止部が係止位置に移動すると、係止部が扉１１２に係止し、扉１１２がロックされる。その結果、扉１１２が開くことが規制される。これに対し、係止部が解除位置に移動すると、係止部が扉１１２に係止せず、扉１１２のロックが解除される。その結果、扉１１２が開くことが許容される。
【００３１】
照射部１２６は、ドラム１１５内に光を照射する。照射部１２６は、例えば、ＬＥＤ（Ｌｉｇｈｔ  Ｅｍｉｔｔｉｎｇ  Ｄｉｏｄｅ）を含む。照射部１２６がドラム１１５内に光を照射することで、ドラム１１５内の視認性が向上する。その結果、洗濯終了後、照射部１２６がドラム１１５内に光を照射することで、ユーザーがドラム１１５内から洗濯物を容易に取り出すことができる。
【００３２】
出力部１２７は、音を出力する。出力部１２７は、例えば、スピーカを含む。
【００３３】
洗濯機１００は、開閉検知部１２８と、運転状況検出部１２９とをさらに備える。
【００３４】
開閉検知部１２８は、扉１１２の開閉を検知する。開閉検知部１２８は、例えば、リードスイッチと磁石とを含み、リードスイッチと磁石とにより扉１１２の開閉を検知する。
【００３５】
運転状況検出部１２９は、洗濯機１００の運転状況を検知する。洗濯機１００の運転状況は、例えば、洗濯機１００の稼働時に洗濯機１００から出力される物理量を示す。第１実施形態では、運転状況検出部１２９は、乾燥運転時にファン１２２からドラム１１５内に供給される温風の風量を検知する。風量の検知は直接検出してもよいし、風量低下に伴う間接的な箇所の温度の上昇などで検出してもよい。
【００３６】
洗濯機１００に設けられた循環風に含まれている糸くずをキャッチするフィルタが詰まると、温風の風量が少なくなる。従って、洗濯機１００は、運転状況検出部１２９により風量の低下を検知して、フィルタの清掃時期を判定する。フィルタの詰りは運転状況の一例であり、運転状況はフィルタ詰りに限定されない。つまり、運転状況検出部１２９の検出対象は、フィルタの詰まりに限定されない。
【００３７】
洗濯機１００は、電源１３０と、記憶部１３１と、制御装置１３２とをさらに備える。
【００３８】
電源１３０は、洗濯機１００に電力を供給する。詳細には、電源１３０は、照射部１２６、出力部１２７、及び制御装置１３２のような洗濯機１００の各要素に電力を供給する。電源１３０がオンになると、電源１３０が洗濯機１００の各要素に電力を供給できる。その結果、洗濯機１００の各要素が稼働できる。これに対し、電源１３０がオフになると、電源１３０が洗濯機１００の各要素に電力を供給できない。その結果、洗濯機１００の各要素が停止する。
【００３９】
記憶部１３１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１３１は、制御装置１３２によって実行される種々のコンピュータープログラムを記憶する。
【００４０】
制御装置１３２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置１３２は、洗濯機１００の各要素を制御する。具体的には、制御装置１３２のプロセッサーは、記憶部１３１に記憶されたコンピュータープログラムを実行することにより、操作表示部１１０と、ドラムモータ１１８と、ファン１２２と、ヒータ１２３と、扉ロック部１２５と、照射部１２６と、出力部１２７と、開閉検知部１２８と、運転状況検出部１２９と、電源１３０と、記憶部１３１とを制御する。
【００４１】
制御装置１３２は、制御部１３２ａと、電源制御部１３２ｂと、カウント部１３２ｃと、光制御部１３２ｄと、生成部１３２ｅと、出力制御部１３２ｆと、判定部１３２ｇとを有する。具体的には、制御装置１３２のプロセッサーが、記憶部１３１に記憶されたコンピュータープログラムを実行することにより、制御部１３２ａ、電源制御部１３２ｂ、カウント部１３２ｃ、光制御部１３２ｄ、生成部１３２ｅ、出力制御部１３２ｆ、及び判定部１３２ｇとして機能する。
【００４２】
次に、図４を参照して、制御装置１３２の第１の動作について説明する。図４は、制御装置１３２の第１の動作を示すブロック図である。
【００４３】
図４に示すように、ステップＳ１０において、電源１３０がオンに操作される。
【００４４】
ステップＳ２０において、受付部５０が洗濯機１００に対する指示を受け付ける。その結果、洗濯機１００の運転が開始される。なお、第１実施形態では、扉１１２がロックされ、扉１１２が閉じられた状態で、洗濯機１００の運転が開始される。
【００４５】
運転は、受付部５０を介して指定される運転を示す。運転は、洗濯運転と、未処理運転とを含む。
【００４６】
洗濯運転は、洗濯機１００が洗濯物を処理する運転を示す。洗濯運転は、洗い運転、すすぎ運転、脱水運転、乾燥運転、及び消臭運転のような、ドラム１１５内に洗濯物が入れられていることを前提とする運転を示す。なお、消臭運転は、洗濯物についた臭いを低減させるための運転を示す。
【００４７】
未処理運転は、洗濯機１００が洗濯物を処理しない運転を示す。未処理運転は、槽洗浄運転のような、ドラム１１５内に洗濯物が入れられていないことを前提とする運転を示す。なお、槽洗浄運転は、ドラム１１５を清掃するための運転を示す。
【００４８】
未処理運転は、本発明の洗濯運転以外の運転の一例である。
【００４９】
ステップＳ３０において、洗濯機１００の運転が終了する。
【００５０】
ステップＳ４０において、扉ロック部１２５が扉１１２のロックを解除するように、制御部１３２ａが扉ロック部１２５を制御する。
【００５１】
ステップＳ５０において、電源制御部１３２ｂは、開閉検知部１２８の検知結果に基づいて、扉１１２が開状態か否かを判定する。開状態は、扉１１２が開いている状態を示す。扉１１２が開状態の場合（ステップＳ５０で、Ｙｅｓ）、処理がステップＳ６０に移行する。扉１１２が開状態でない場合（ステップＳ５０で、Ｎｏ）、ステップＳ５０に示す処理が繰り返される。
【００５２】
ステップＳ６０において、電源制御部１３２ｂは、開閉検知部１２８の検知結果に基づいて、扉１１２が閉状態か否かを判定する。閉状態は、扉１１２が閉じられた状態を示す。扉１１２が閉状態の場合（ステップＳ６０で、Ｙｅｓ）、処理がステップＳ７０に移行する。扉１１２が閉状態でない場合（ステップＳ６０で、Ｎｏ）、ステップＳ６０に示す処理が繰り返される。
【００５３】
ステップＳ７０において、電源１３０がオフになるように、電源制御部１３２ｂが電源１３０を制御する。その結果、処理が終了する。
【００５４】
以上、図４を参照して説明したように、ステップＳ５０〜ステップＳ７０において、電源制御部１３２ｂは、開閉検知部１２８の検知結果に基づいて、洗濯機１００の電源１３０をオフにする。従って、ユーザーが扉１１２を開けてドラム１１５内から洗濯物を取り出した後、扉１１２を閉めるタイミングで洗濯機１００の電源１３０をオフにすることができる。その結果、洗濯機１００の運転終了後、ドラム１１５内から洗濯物を取り出すためのユーザーの動作が終了するまでは洗濯機１００の電源１３０をオンの状態にすることができる。なお、ドラム１１５内から洗濯物を取り出すためのユーザーの動作は、ユーザーが扉１１２を開けた後、閉じる動作を示す。
【００５５】
［第２実施形態］
次に、図５を参照して、本発明の第２実施形態について説明する。図５は、制御装置１３２の第２の動作を示すフロー図である。
【００５６】
第２実施形態は、洗濯機１００の運転終了後、照射部１２６が稼働する点で第１実施形態と異なる。以下では、主に第１実施形態を異なる点を説明する。
【００５７】
洗濯機１００の運転終了後、扉１１２のロックが解除され、さらに扉１１２が開状態になると、処理がステップＳ５０からステップＳ５１に移行する。
【００５８】
ステップＳ５１において、照射部１２６が光を照射するように、光制御部１３２ｄが照射部１２６を制御する。その結果、扉１１２が開いた状態で、照射部１２６がドラム１１５内に光を照射する。
【００５９】
ステップＳ６０において、扉１１２が閉状態になると（ステップＳ６０で、Ｙｅｓ）、処理がステップＳ７０に移行する。また、扉１１２が閉状態になると、照射部１２６が光を照射しないように、光制御部１３２ｄが照射部１２６を制御する。その結果、ドラム１１５内が消灯される。
【００６０】
以上、図５を参照して説明したように、洗濯機１００の運転終了後、扉１１２が開状態になると、照射部１２６がドラム１１５内に光を照射する。従って、洗濯機１００の運転終了後、ユーザーがドラム１１５内から洗濯物を取り出す際、照射部１２６がドラム１１５内に光を照射する。その結果、ドラム１１５内の視認性が向上するので、洗濯機１００が暗所に配置されていても、ユーザーはドラム１１５内から洗濯物を容易に取り出すことができる。
【００６１】
また、通常の洗濯機では、洗濯機の運転が終了すると洗濯機の電源がオフになる。従って、通常の洗濯機では、洗濯機の運転終了後、ユーザーがドラム内から洗濯物を取り出す際、ドラム内に光を照射したい場合は、ユーザーは、洗濯機の電源をオンにしなければならず、煩雑であった。これに対し、第２実施形態の洗濯機１００では、洗濯機１００の運転終了後、扉１１２が開状態になった後、扉１１２が閉状態になるまでは、洗濯機１００の電源１３０がオンの状態が保持される。従って、第２実施形態の洗濯機１００では、洗濯機１００の運転終了後、ユーザーがドラム１１５内から洗濯物を取り出す際、ドラム１１５内に光を照射したい場合は、ユーザーは、洗濯機１００の電源１３０をオンにする必要がない。その結果、ユーザーは、ドラム１１５内から洗濯物を円滑に取り出すことができる。
【００６２】
［第３実施形態］
次に、図６を参照して、本発明の第３実施形態について説明する。図６は、制御装置１３２の第３の動作を示すフロー図である。
【００６３】
第３実施形態は、洗濯機１００の運転終了後、洗濯機１００の状態を示す情報が出力される点で第１実施形態と異なる。以下では、主に第１実施形態を異なる点を説明する。
【００６４】
洗濯機１００の運転が開始されると、処理がステップＳ２０からステップＳ２１に移行する。
【００６５】
ステップＳ２１において、運転状況検出部１２９は、洗濯機１００の運転状況を検知する。第３実施形態では、運転状況検出部１２９は、乾燥運転時にファン１２２からドラム１１５内に供給される温風の風量を検知する。
【００６６】
ステップＳ３０において、洗濯機１００の運転が終了する。
【００６７】
ステップＳ４０において、扉１１２のロックが解除される。
【００６８】
ステップＳ４１において、運転状況検出部１２９の検出結果に基づいて、生成部１３２ｅが洗濯機情報を生成する。洗濯機情報は、洗濯機１００の状態を示す情報である。洗濯機情報は、例えば、洗濯機１００のメンテナンスの情報を含む。
【００６９】
第３実施形態では、洗濯機情報は、洗濯機１００のフィルタの清掃時期を示す情報である。生成部１３２ｅは、例えば、運転状況検出部１２９の検知した風量が所定値以下の場合、フィルタの清掃時期と判定し、フィルタの清掃時期であることを通知する旨の洗濯機情報を生成する。また、生成部１３２ｅは、例えば、運転状況検出部１２９の検知した風量が所定値以下でない場合、フィルタの清掃時期ではない判定し、フィルタが正常に機能していることを通知する旨の洗濯機情報を生成する。
【００７０】
ステップＳ４２において、出力部１２７が洗濯機情報を出力するように、出力制御部１３２ｆが出力部１２７を制御する。従って、洗濯機情報が、出力制御部１３２ｆを介して音声で出力される。その結果、ユーザーは、フィルタの清掃時期であるか否かを認識することが可能である。ステップＳ４２に示す処理が終了すると、処理がステップＳ５０に移行する。
【００７１】
以上、図６を参照して説明したように、洗濯機１００の運転終了後、扉１１２が開状態になった後、扉１１２が閉状態になるまでは、洗濯機１００の電源１３０がオンの状態に保持される。従って、洗濯機１００の運転が終了しても、すぐには電源１３０がオフにならない。その結果、洗濯機１００の運転終了後、出力部１２７が洗濯機情報を出力することができる。
【００７２】
なお、第３実施形態では、出力部１２７は音を出力するデバイスであるが本発明はこれに限定されない。出力部１２７は、ユーザーに洗濯機情報を通知できるデバイスであればよい。出力部１２７は、ディスプレーのような表示装置であってもよい。
【００７３】
また、第３実施形態では、ステップＳ４２に示す処理の終了後、ステップＳ５０に示す処理が行われるが、本発明はこれに限定されない。ステップＳ４１に示す処理、及びステップＳ４２に示す処理と並行して、ステップＳ５０に示す処理が行われてもよい。また、ステップＳ５０で、Ｙｅｓの場合に、ステップＳ４２に示す処理が行われてもよい。
【００７４】
［第４実施形態］
次に、図７を参照して、本発明の第４実施形態について説明する。図７は、制御装置１３２の第４の動作を示すフロー図である。
【００７５】
第４実施形態は、扉１１２の開閉動作に基づくことなく、洗濯機１００の電源１３０がオフになることがある点で第１実施形態と異なる。以下では、主に第１実施形態と異なる点を説明する。
【００７６】
洗濯機１００の運転終了後、扉１１２のロックが解除されると、処理がステップＳ４０からステップＳ４３に移行する。
【００７７】
ステップＳ４３において、ステップＳ２０で行われた洗濯機１００の運転が洗濯運転であったか否かを判定部１３２ｇが判定する。洗濯運転であった場合（ステップＳ４３で、Ｙｅｓ）、処理がステップＳ５０に移行する。洗濯運転でなかった場合（ステップＳ４３で、Ｎｏ）、処理がステップＳ７０に移行する。つまり、未処理運転であった場合、処理がステップＳ７０に移行する。その結果、洗濯機１００の電源１３０がオフになる。
【００７８】
未処理運転の終了後、扉１１２の開閉動作が行われることを待つことなく、洗濯機１００の電源１３０がオフになる理由について説明する。
【００７９】
未処理運転が行われる場合、通常は、ドラム１１５内に洗濯物が入れられない。従って、未処理運転の終了後、通常は、扉１１２の開閉動作が行われない。その結果、第４実施形態では、未処理運転の終了後、扉１１２の開閉動作が行われることを待つことなく、洗濯機１００の電源１３０がオフにされる。
【００８０】
以上、図７を参照して説明したように、洗濯機１００が未処理運転を行う場合、未処理運転が終了すると電源制御部１３２ｂは開閉検知部１２８の検知結果に基づくことなく、洗濯機１００の電源１３０をオフにする。従って、未処理運転が終了すると、洗濯機１００の電源１３０をすぐにオフにすることができる。その結果、洗濯機１００の消費電力が無駄に増加することを抑制することができる。
【００８１】
［第５実施形態］
次に、図８を参照して、本発明の第５実施形態について説明する。図８は、制御装置１３２の第５の動作を示すフロー図である。
【００８２】
第５実施形態は、洗濯機１００の運転終了後、扉１１２が開かれてから第１所定時間が経過すると電源１３０がオフになる点で第１実施形態と異なる。以下では、主に第１実施形態と異なる点を説明する。
【００８３】
洗濯機１００の運転終了後、扉１１２のロックが解除され、さらに扉１１２が開状態になると、処理がステップＳ５０からステップＳ５２に移行する。
【００８４】
ステップＳ５２において、カウント部１３２ｃが、扉１１２の開時間をカウントする。扉１１２の開時間は、扉１１２が開状態になったときから経過した時間である。なお、カウント部１３２ｃは、タイマーの機能を有し、タイマーにより扉１１２が開状態をカウントする。
【００８５】
カウント部１３２ｃは、本発明の第１カウント部の一例である。
【００８６】
ステップＳ５３において、扉１１２の開時間が第１所定時間以下であるか否かを電源制御部１３２ｂが判定する。扉１１２の開時間が第１所定時間以下の場合（ステップＳ５３で、Ｙｅｓ）、処理がステップＳ６０に移行する。扉１１２の開時間が第１所定時間以下でない場合（ステップＳ５３で、Ｎｏ）、処理がステップＳ７０に移行する。
【００８７】
ステップＳ６０において、扉１１２が閉状態の場合（ステップＳ６０で、Ｙｅｓ）、処理がステップＳ７０に移行する。扉１１２が閉状態でない場合（ステップＳ６０で、Ｎｏ）、処理がステップＳ５３に移行する。
【００８８】
以上、図８を参照して説明したように、洗濯機１００の運転終了後、扉１１２が開状態になってから閉状態になる前に扉１１２の開時間が第１所定時間を超えると（ステップＳ５３で、Ｎｏ）、電源制御部１３２ｂは洗濯機１００の電源１３０をオフにする。従って、ユーザーが扉１１２を閉め忘れた場合に、洗濯機１００の電源１３０がオンの状態に保持されることを防ぐことができる。
【００８９】
［第６実施形態］
次に、図９を参照して、本発明の第６実施形態について説明する。図９は、制御装置１３２の第６の動作を示すフロー図である。
【００９０】
第６実施形態は、洗濯機１００の運転終了後、第２所定時間が経過すると電源１３０がオフになる点で第１実施形態と異なる。以下では、主に第１実施形態と異なる点を説明する。
【００９１】
図９に示すように、洗濯機１００の運転終了後、扉１１２のロックが解除されると、処理がステップＳ４０からステップＳ４４に移行する。
【００９２】
ステップＳ４４において、カウント部１３２ｃが、経過時間をカウントする。経過時間は、洗濯機１００の運転が終了したときから経過した時間である。
【００９３】
カウント部１３２ｃは、本発明の第２カウント部の一例である。
【００９４】
ステップＳ４５において、経過時間が第２所定時間以下であるか否かを電源制御部１３２ｂが判定する。経過時間が第２所定時間以下の場合（ステップＳ４５で、Ｙｅｓ）、処理がステップＳ５０に移行する。経過時間が第２所定時間以下でない場合（ステップＳ４５で、Ｎｏ）、処理がステップＳ７０に移行する。
【００９５】
ステップＳ５０において、電源制御部１３２ｂは、扉１１２が開状態であるか否かを判定する。扉１１２が開状態の場合（ステップＳ５０で、Ｙｅｓ）、処理がステップＳ６０に移行する。扉１１２が開状態でない場合（ステップＳ５０で、Ｎｏ）、処理がステップＳ４５に移行する。
【００９６】
ステップＳ６０において、電源制御部１３２ｂは、扉１１２が閉状態であるか否かを判定する。扉１１２が閉状態の場合（ステップＳ６０で、Ｙｅｓ）、処理がステップＳ７０に移行する。扉１１２が閉状態でない場合（ステップＳ６０で、Ｎｏ）、処理がステップＳ４５に移行する。
【００９７】
以上、図９を参照して説明したように、洗濯機１００の運転終了後、扉１１２が開状態になってから閉状態になる前に経過時間が第２所定時間を超えると（ステップＳ４５で、Ｎｏ）、電源制御部１３２ｂは洗濯機１００の電源１３０をオフにする。従って、洗濯機１００の運転終了後、洗濯機１００の電源１３０がオンの状態に保持され続けることを防ぐことができる。
【００９８】
以上、図面（図１〜図９）を参照しながら本発明の実施形態について説明した。但し、本発明は、上記の実施形態に限られるものではなく、その要旨を逸脱しない範囲で種々の態様において第３実施形態として実施することが可能である（例えば、（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００９９】
（１）第１実施形態から第６実施形態の洗濯機１００は、ドラム式洗濯機である。しかし、本発明はこれに限定されない。本発明の洗濯機は、縦型洗濯機でもよい。
【０１００】
（２）第１実施形態の洗濯機１００は、第２実施形態に示す照射部１２６を備えていなくてもよく、ドラム１１５内に光を照射する機能を有していなくてもよい。また、第１実施形態の洗濯機１００は、第３実施形態に示す出力部１２７を備えていなくてもよく、洗濯機情報を出力する機能を有していなくてもよい。
【０１０１】
（３）制御装置１３２は、制御装置１３２の第１の動作から第６の動作（図４から図９参照）のうちの少なくとも２つを組み合わせた動作を行ってもよい。
【産業上の利用可能性】
【０１０２】
本発明は、洗濯機の分野に利用可能である。
【符号の説明】
【０１０３】
１００    洗濯機
１１５    ドラム（洗濯槽）
１１２    扉
１２８    開閉検知部
１３０    電源
１３２ｂ  電源制御部
１２６    照射部
１３２ｄ  光制御部
１２９    運転状況検出部
１３２ｅ  生成部
１２７    出力部
１３２ｆ  出力制御部
１３２ｃ  カウント部（第１カウント部、第２カウント部）
【図１】
2019154612.tif 000003
【図２】
2019154612.tif 000004
【図３】
2019154612.tif 000005
【図４】
2019154612.tif 000006
【図５】
2019154612.tif 000007
【図６】
2019154612.tif 000008
【図７】
2019154612.tif 000009
【図８】
2019154612.tif 000010
【図９】
2019154612.tif 000011